(57)【特許請求の範囲】
【請求項１】
複数の異なる種別、機種の端末のうちの一の端末からネットワークを介して所定の要求を受け、前記要求から前記端末の種別、機種を特定する制御信号受信部と、
ゲートウェイ装置に直接接続される機器、及び、前記ゲートウェイ装置とネットワークを介して接続される機器のうちの少なくとも一つから読み出され、映像とオーディオの少なくとも一方を含む、前記端末によって指定されたコンテンツであるストリーム又はファイルを受信する受信部と、
前記制御信号受信部で特定された前記端末の種別、機種に対応した変換情報を作成する変換指示部と、
前記受信部で受信したストリーム又はファイルに対して前記変換情報に従い変換を施す変換部と、
前記変換したストリーム又はファイルを前記端末に送出する送信部と、
端末の機種毎に、許容できるコーデック、画面解像度、フレームレート、前記端末で受信可能なファイル形式とファイルサイズ、前記端末の受信プロトコル、の少なくとも一つを含む、端末の能力情報を保持するテーブルと、
を備え、
前記変換指示部は、前記端末の種別、機種に対応した能力情報を、前記テーブルから読み出し、前記能力情報に対応した前記変換情報を作成して変換部に出力し、
前記変換部は、前記変換情報に基づき前記コンテンツを復号、解像度変換、符号化するトランスコーダ部と、
前記トランスコーダ部で変換したストリームを、前記端末の前記能力情報に対応したファイル形式のファイルに格納するファイル変換部と、
前記ファイル変換部から出力されるファイル、又は、前記ファイル変換部をバイパスした前記トランスコーダ部からのストリームを前記端末の前記能力情報に基づきプロトコル変換するプロトコル変換部と、
を備え、前記送信部は、前記変換部の前記プロトコル変換部からのストリーム又はファイルをパケット化して前記端末に送信し、
前記端末によって指定されたコンテンツであるストリームに暗号が施されている場合、暗号復号に関する情報を前記変換指示部を介して前記トランスコーダ部に通知し、前記トランスコーダ部で前記暗号を復号化する、ことを特徴とするゲートウェイ装置。
【請求項２】
請求項１記載のゲートウェイ装置において、
前記ゲートウェイ装置は宅内に設置され、
前記端末からネットワーク及び前記宅内に設置されるフェムトセルアクセスポイントを介して所定の要求を受けた場合に、
前記制御信号受信部は、
前記端末の種別を特定し、
前記受信部は、前記ゲートウェイに直接接続される機器、及び、家庭内ネットワークを介して接続される機器のうちの少なくとも一つから読み出された、映像とオーディオの少なくとも一方を含む、前記端末で指定されたコンテンツであるストリーム又はファイルを受信し、前記変換指示部で前記端末の種別に対応した変換情報を作成し、前記変換部で前記受信したストリーム又はファイルに対して前記変換情報に従い変換を施した上で、前記送信部で前記端末に送出する、ことを特徴とするゲートウェイ装置。
【請求項３】
前記変換部は、
コーデック、
ビットレート、
画面解像度、
フレームレート、
ファイル形式とファイルサイズ、
プロトコル
のうちの少なくとも一つに対する変換を実時間で行う、ことを特徴とする請求項１又は２に記載のゲートウェイ装置。
【請求項４】
前記端末は、携帯電話、ＰＨＳ（Ｐｅｒｓｏｎａｌ  Ｈａｎｄｙｐｈｏｎｅ  Ｓｙｓｔｅｍ）、無線ＬＡＮ（Ｌｏｃａｌ  Ａｒｅａ  Ｎｅｔｗｏｒｋ）端末、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）端末、パーソナルコンピュータ、ゲーム機、デジタルフォトフレームの少なくとも一つを含む、ことを特徴とする請求項１乃至３のいずれか１項に記載のゲートウェイ装置。
【請求項５】
複数の異なる種別、機種の端末のうちの一の端末から、ゲートウェイ装置が配置されるネットワークとは異なるネットワークを介して又は同一のネットワークを介して、所定の要求を受け、前記要求から前記端末の種別、機種を特定し、前記端末からアクセスされ前記端末の認証を行ったサーバから前記端末によるコンテンツ選択結果を受け、宅内に設置されるホームゲートウェイに対して前記コンテンツ選択結果を含む要求を送出する制御信号変換部と、
前記ホームゲートウェイに直接接続される機器と、前記ホームゲートウェイとネットワークを介して接続される機器とのうちの少なくとも一つから読み出され、映像とオーディオの少なくとも一方を含む、前記端末から指定されたコンテンツであるストリーム又はファイルを前記ホームゲートウェイ側を介して受信する受信部と、
前記制御信号受信部で特定された前記端末の種別、機種に対応した変換情報を作成する変換指示部と、
前記受信部で受信したストリーム又はファイルに対して前記変換情報に従い変換を施す変換部と、
前記変換したストリーム又はファイルを前記端末に送出する送信部と、
を備え、
前記変換部は、前記変換情報に基づき前記コンテンツを復号、解像度変換、符号化するトランスコーダ部と、
前記トランスコーダ部で変換したストリームを、前記変換指示部から入力した前記端末の前記機種情報に対応したファイル形式のファイルに格納するファイル変換部と、
前記ファイル変換部から出力されるファイル、又は、前記ファイル変換部をバイパスした前記トランスコーダ部からのストリームを、前記変換指示部から入力した前記端末の前記機種情報に基づきプロトコル変換するプロトコル変換部と、
を備え、前記送信部は、前記変換部の前記プロトコル変換部からのストリーム又はファイルをパケット化して前記端末に送信し、
前記端末によって指定されたコンテンツであるストリームに暗号が施されている場合、暗号復号に関する情報を前記変換指示部を介して前記受信部に通知し、前記受信部で前記暗号を復号化する、ことを特徴とするゲートウェイ装置。
【請求項６】
請求項５記載のゲートウェイ装置において、
前記端末から所定の要求を受けた場合に、前記制御信号変換部は、前記端末の種別を特定し、宅内に設置されるフェムトセルアクセスポイントを介して、無線対応ホームゲートウェイに対して要求を送出し、
前記受信部は、前記無線対応ホームゲートウェイ又はセットトップボックスに直接接続される機器と、前記無線対応ホームゲートウェイ又は前記セットトップボックスとネットワークを介して接続される機器とのうちの少なくとも一つから読み出され、映像とオーディオの少なくとも一方を含むストリーム又はファイルを、前記無線対応ホームゲートウェイから前記フェムトセルアクセスポイントを経由して受信し、
前記変換指示部は、前記端末の種別に対応した変換情報を作成し、
前記変換部は、前記ストリーム又は前記ファイルに対し前記変換情報に従い変換を施し、前記送信部が、変換した前記ストリーム又は前記ファイルを前記端末に送出する、ことを特徴とするゲートウェイ装置。
【請求項７】
複数の異なる種別、機種の端末のうちの一の端末と、
ゲートウェイと、
前記ゲートウェイに直接接続される機器及び／又はネットワークを介して間接的に接続される機器と、
を備えたネットワークシステムであって、
前記ゲートウェイは、
端末の機種毎に、許容できるコーデック、画面解像度、フレームレート、前記端末で受信可能なファイル形式とファイルサイズ、前記端末の受信プロトコル、の少なくとも一つを含む、端末の能力情報を保持するテーブルと、
前記端末からネットワークを介して所定の要求を受けた場合に、前記要求から前記端末の種別、機種を特定する制御信号受信部と、
前記ゲートウェイに直接接続される機器、及び、前記ゲートウェイとネットワークを介して接続される機器のうちの少なくとも一つから読み出され、映像とオーディオの少なくとも一方を含む、前記端末によって指定されたコンテンツであるストリーム又はファイルを受信する受信部と、
前記制御信号受信部で特定された前記端末の種別、機種に対応した変換情報を作成する変換指示部と、
前記受信部で受信したストリーム又はファイルに対して前記変換情報に従い変換を施す変換部と、
前記変換したストリーム又はファイルを前記端末に送出する送信部と、
を備え、
前記変換指示部は、前記端末の種別、機種に対応した能力情報を、前記テーブルから読み出し、前記能力情報に対応した前記変換情報を作成して変換部に出力し、
前記変換部は、前記変換情報に基づき前記コンテンツを復号、解像度変換、符号化するトランスコーダ部と、
前記トランスコーダ部で変換したストリームを、前記端末の前記能力情報に対応したファイル形式のファイルに格納するファイル変換部と、
前記ファイル変換部から出力されるファイル、又は、前記ファイル変換部をバイパスした前記トランスコーダ部からのストリームを前記端末の前記能力情報に基づきプロトコル変換するプロトコル変換部と、
を備え、前記送信部は、前記変換部の前記プロトコル変換部からのストリーム又はファイルをパケット化して前記端末に送信し、
前記端末によって指定されたコンテンツであるストリームに暗号が施されている場合、暗号復号に関する情報を前記変換指示部を介して前記トランスコーダ部に通知し、前記トランスコーダ部で前記暗号を復号化する、ことを特徴とするネットワークシステム。
【請求項８】
複数の異なる種別、機種の端末のうちの一の端末と、
ネットワーク上に配置されるゲートウェイ装置と、
宅内に配置されたホームゲートウェイと、
前記ホームゲートウェイに直接接続される機器及び／又はネットワークを介して間接的に接続される機器と、
を備えたネットワークシステムであって、
前記ネットワーク上に配置されるゲートウェイ装置が、
前記端末から、前記ネットワークと異なるネットワークを介して又は同一のネットワークを介して、所定の要求を受け、前記要求から前記端末の種別、機種を特定し、前記端末からアクセスされ前記端末の認証を行ったサーバから前記端末によるコンテンツ選択結果を受け、宅内に設置される前記ホームゲートウェイに対して前記コンテンツ選択結果を含む要求を送出する制御信号変換部と、
前記ホームゲートウェイに直接接続される機器と、前記ホームゲートウェイと家庭内ネットワークを介して接続される機器とのうちの少なくとも一つから読み出され、映像とオーディオの少なくとも一方を含む、前記端末によって指定されたコンテンツであるストリーム又はファイルを受信する受信部と、
前記制御信号受信部で特定された前記端末の種別、機種に対応した変換情報を作成する変換指示部と、
前記受信部で受信したストリーム又はファイルに対して前記変換情報に従い変換を施す変換部と、
前記変換したストリーム又はファイルを前記端末に送出する送信部と、
を備え、
前記変換部は、前記変換情報に基づき前記コンテンツを復号、解像度変換、符号化するトランスコーダ部と、
前記トランスコーダ部で変換したストリームを、前記変換指示部から入力した前記端末の前記機種情報に対応したファイル形式のファイルに格納するファイル変換部と、
前記ファイル変換部から出力されるファイル、又は、前記ファイル変換部をバイパスした前記トランスコーダ部からのストリームを、前記変換指示部から入力した前記端末の前記機種情報に基づきプロトコル変換するプロトコル変換部と、
を備え、前記送信部は、前記変換部の前記プロトコル変換部からのストリーム又はファイルをパケット化して前記端末に送信し、
前記端末によって指定されたコンテンツであるストリームに暗号が施されている場合、暗号復号に関する情報を前記変換指示部を介して前記受信部に通知し、前記受信部で前記暗号を復号化する、ことを特徴とするネットワークシステム。
【請求項９】
ゲートウェイが
端末の機種毎に、許容できるコーデック、画面解像度、フレームレート、前記端末で受信可能なファイル形式とファイルサイズ、前記端末の受信プロトコル、の少なくとも一つを含む、端末の能力情報を保持するテーブルを備え、
複数の異なる種別、機種の端末のうちの一の端末からネットワークを介して所定の要求を受けた場合に、前記要求から前記端末の種別、機種を特定し、
前記ゲートウェイに直接接続される機器、及び、前記ゲートウェイとネットワークを介して接続される機器のうちの少なくとも一つから、映像とオーディオの少なくとも一方を含むストリーム又はファイルを読み出し、
前記端末の種別、機種に対応した能力情報を、前記テーブルから読み出し、前記能力情報に対応した変換情報を作成し、
前記読み出したストリーム又はファイルに対して前記変換情報に従い変換部で変換を施した上で、前記端末に送出し、
前記変換部では、前記変換情報に基づき前記コンテンツを復号、解像度変換、符号化するトランスコーダ処理を行い、
前記トランスコーダ処理したストリームを、前記端末の前記能力情報に対応したファイル形式のファイルに格納するファイル変換処理を行い、
前記ファイル変換処理からのファイル、又は、前記ファイル変換処理をバイパスした前記トランスコーダ処理からのストリームを前記端末の前記能力情報に基づきプロトコル変換し、
を備え、前記プロトコル変換されたストリーム又はファイルをパケット化して前記端末に送信し、
前記ゲートウェイは、前記端末によって指定されたコンテンツであるストリームに暗号が施されている場合、暗号復号に関する情報を前記変換部に通知し、前記変換部で前記暗号を復号化する、ことを特徴とするゲートウェイ方法。
【発明の詳細な説明】
【技術分野】
【０００１】
（関連出願についての記載）
本発明は、日本国特許出願：特願２００９−１３５２１３号（２００９年６月４日出願）ならびに日本国特許出願：特願２００９−１４２６０６号（２００９年６月１５日出願）の優先権主張に基づくものであり、同出願の全記載内容は引用をもって本書に組み込み記載されているものとする。【０００２】
本発明は、ゲートウェイに関し、特に、携帯端末による宅内のコンテンツの復号・表示に適用して好適なゲートウェイ装置と方法及びプログラムに関する。
【背景技術】
【０００３】
デジタル放送、デジタルハイビジョン放送やブロードバンドやＮＧＮ（Ｎｅｘｔ  Ｇｅｎｅｒａｔｉｏｎ  Ｎｅｔｗｏｒｋ）等によるコンテンツ配信やＩＰＴＶ（Ｉｎｔｅｒｎｅｔ  Ｐｒｏｔｏｃｏｌ  ＴｅｌｅＶｉｓｉｏｎ）等により、エンドユーザは宅内で、映像やオーディオを含むコンテンツを受信し、家庭内のハードディスクレコーダ等に蓄積している。【０００４】
また、エンドユーザ自身がデジタルカメラやデジタルビデオカメラ等を用いて撮影した静止画、動画コンテンツも蓄積している。これらのさまざまな映像コンテンツに対して、家庭内の視聴だけでなく、家庭の外から、本人だけでなく、視聴者を限定した視聴を可能にするサービスの検討やトライアルが行われている。例えば、ＩＥＥＥ  ＣＣＮＣ２００８の”Ｐｒｏｐｏｓａｌ  ｏｎ  Ｗｉｄｅ  ａｒｅａ  ＤＬＮＡ  Ｃｏｍｍｕｎｉｃａｔｉｏｎ  Ｓｙｓｔｅｍ”、  ｐｐ．２３３−２３７、  ２００８年等に記載されているようなＤＬＮＡ（Ｄｉｇｉｔａｌ  Ｌｉｖｉｎｇ  Ｎｅｔｗｏｒｋ  Ａｌｌｉａｎｃｅ）対応の宅内機器に蓄積されているコンテンツを、ホームゲートウェイを介して、家庭の外から携帯電話で直接視聴したり、特定のユーザがコンテンツを共有したりする方法が提案されている。【０００５】
宅内ゲートウェイとして、例えば特許文献１（特開２００２−７７２７４号公報）には、ホームゲートウェイ（宅内ゲートウェイ）に過度なセキュリティ機能やユーザに専門的な管理を要求することなしに、ホームネットワークに対する悪意のあるユーザからの攻撃を防ぐことを可能とする通信システムを提供するために、携帯端末からインターネットを介しホームネットワーク上の通信装置にアクセスするためにホームゲートウェイに対応するアクセス番号を指定してアクセスサーバへメッセージを送信し、アクセスサーバは携帯端末との間で該携帯端末について予め定められた方法で認証手続きを行い認証に成功した場合に指定されたアクセス番号に対応するホームネットワークに設置されたホームゲートウェイへアクセス網を介してメッセージを転送し、予め登録されたアクセスサーバからメッセージを受信したホームゲートウェイはホームネットワークを介して通信装置へメッセージを転送する構成が開示されている。特許文献１において、携帯端末はホームゲートウェイに対応するアクセス番号を指定してアクセスサーバに送信し、アクセスサーバとの認証に成功した場合に、アクセスサーバが指定したアクセス番号に対応するホームネットワークに設置されたホームゲートウェイへメッセージを転送し、ホームゲートウェイは、該メッセージをホームネットワークに接続される通信装置がサポートするプロトコルに変換した上で該通信装置へ転送するものであり、該通信装置から受信した所定の形式のＡＶデータに所定の変換処理を施しアクセスサーバに中継する。そして、所定の変換処理とは、アクセス網に適合させるための符号変換処理を行うものであることが記載されている。【０００６】
また、携帯端末から宅内ゲートウェイを介して家庭内機器にアクセスする構成として、例えば特許文献２（特開２００６−３５２２８６号公報）には、携帯電話を用いてホームゲートウェイに接続される家庭用電気機器（例えばＴＶ、ＤＶＤ／ＨＤＤレコーダ、エアコン、照明機器等）や住宅設備機器（例えば電気ドア施錠、各種センサ等）を制御する場合に、認証を行うアクセスサーバ等への負荷を軽減しつつ、ホームネットワークへの不正アクセスを防止するための安全性の高いアクセス技術を提供することを目的として、接続管理装置で携帯電話等を認証し携帯からのアクセスが許可されると、ホームゲートウェイが前記接続管理装置を経由せずに直接、携帯電話等と通信（ピアツーピア通信）し、携帯電話から宅内機器の制御を行う構成が開示され、さらに、不正アクセスを防止するために、ピアツーピア通信を開始するにあたり、再度認証（第２認証）を行う構成が開示されている。特許文献２には、アクセス管理サーバ（接続管理装置）への負荷を軽減しつつ、高い安全性を確保してホームネットワークと通信することが可能となり、宅外から宅内のＤＶＤ／ＨＤＤレコーダ制御してそれに蓄積されるコンテンツを宅外機器にダウンロードする等の大容量のデータ通信サービスに利用さ可能とされ、そのようなサービスを実現するために不正アクセスを防止して安全性を高めるに好適である旨が記載されている。【０００７】
さらに、特許文献３（特開２００７−３１２１４８号公報）には、サーバへの負荷を軽減し安全性が高くより多くの宅外装置の機種に対応した通信を実現するホームゲートウェイ装置として、ネットワークを介して宅外装置と外部ゲートウェイ装置とに接続されるホームゲートウェイ装置であって、所定の装置に関する情報を保持する記憶部と、前記宅外装置とのアクセスを制御するアクセス制御部とを備え、前記アクセス制御部は、前記記憶部から取得した前記所定の装置に関する情報を前記外部ゲートウェイ装置に送信し、前記宅外装置から取得した前記宅外装置に関する情報が前記所定の装置に関する情報に該当すると前記外部ゲートウェイ装置が判断した場合に、前記アクセス制御部は、前記外部ゲートウェイ装置を経由せずに前記宅外装置と通信する制御を行う構成が開示されている。【０００８】
特許文献４（特開２００８−２８３６４８号公報）には、屋内に微小なサービスエリアを有するフェムト基地局を設け、屋内機器制御サーバが、端末ＩＤと各端末の所在のエリア内／外を示す所在の状態とを記憶する登録端末データベースと、屋内機器の動作とその動作のトリガとしての各端末の所在の状態とを対応付けて規定する制御機器データベースとを記憶しており、フェムト基地局がエリア内に出入りした端末１のＩＤと出／入の情報とをサーバに送信し、サーバが、受信情報に基づいて登録端末データベースの状態を更新し、更新された状態が制御機器データベースのトリガに一致すると、当該トリガに対応して記憶されている動作となるよう屋内機器を制御する屋内機器制御システムが開示されている。
【先行技術文献】
【特許文献】
【０００９】
【特許文献１】特開２００２−０７７２７４号公報
【特許文献２】特開２００６−３５２２８６号公報
【特許文献３】特開２００７−３１２１４８号公報
【特許文献４】特開２００８−２８３６４８号公報
【発明の概要】
【発明が解決しようとする課題】
【００１０】
以下に本発明による関連技術の分析を与える。【００１１】
携帯電話、携帯端末、ゲーム機、ＰＣ等、映像を復号できる能力は端末により異なること、
これらの端末の能力と宅内に蓄積されたコンテンツとで、
コーデック、
画面サイズ、
ビットレート、
プロトコル、
ファイル形式、
等のうち少なくとも一つが異なる場合には、従来の方法（関連技術）では、宅内の映像コンテンツを、様々な端末で直接復号、表示しようとしてもできない。【００１２】
従来の方法では、宅内にある映像を含むコンテンツに対しネットワークを介して本人が視聴したり、本人以外の特定のユーザに宅内のコンテンツを共有させる場合には、
・  コンテンツ所有者（本人）がその都度、ホームゲートウェイ等に対し、設定を行う必要があること、
・  設定に時間がかかること、
・  コンテンツリストやコンテンツ等の読み出しに時間がかかること、
等の課題があった。  【００１３】
なお、上記特許文献１には、携帯端末の種別を特定し、前記端末の種別に適した変換を、映像又はオーディオ信号に対して施し、携帯端末に送出するという後述される本発明の構成は開示されていない。特許文献２には、不正アクセスを防止するための構成が開示されているだけである。携帯端末の種別に適した変換を、映像又はオーディオ信号に対して施し、携帯端末に送出するという、後述される本発明の構成は開示されていない。特許文献３は、ホームゲートウェイが外部ゲートウェイ装置を経由せずに宅外装置と前記宅外装置と通信するというものであり、後述される本発明と全く相違している。特許文献４の構成も後述される本発明と全く相違している。【００１４】
本発明の目的は、各種端末の能力に応じて宅内のコンテンツを該端末で復号・表示可能とするゲートウェイ、方法、システムを提供することにある。【００１５】
また本発明の他の目的は、携帯端末の種別等に対応させて宅内のコンテンツを復号・表示可能とし、例えばコンテンツ所有者本人が宅内のコンテンツを外から視聴する場合や、本人以外の特定のユーザに宅内のコンテンツを共有させる場合等にその都度、設定を変更する等の労力を不要にすることができるゲートウェイ装置、方法、システムを提供することにある。
【課題を解決するための手段】
【００１６】
本発明によれば、宅内に配置されるゲートウェイであって、
端末からネットワークを介して所定の要求を受けた場合に、
前記端末の種別を特定し、
前記ゲートウェイに直接接続される機器、及び、前記ゲートウェイと家庭内ネットワークを介して接続される機器のうちの少なくとも一つから映像とオーディオの少なくとも一方を含むストリーム又はファイルを読み出し、
前記端末の種別に適した変換情報を作成し、
前記読み出したストリーム又はファイルに対して、前記変換情報に従い変換を施した上で、前記端末に送出する変換部を含むゲートウェイ装置が提供される。【００１７】
本発明によれば、宅内に配置されるゲートウェイであって、
端末からネットワーク及び宅内に設置されるフェムトセルアクセスポイントを介して所定の要求を受けた場合に、
前記端末の種別を特定し、前記ゲートウェイに直接接続される機器、及び、前記家庭内ネットワークを介して接続される機器のうちの少なくとも一つから、映像とオーディオの少なくとも一方を含むストリーム又はファイルを読み出し、
前記端末の種別に適した変換情報を作成し、
前記読み出したストリーム又はファイルに対して、前記変換情報に従い変換を施した上で、前記端末に送出する変換部を備えたゲートウェイ装置が提供される。【００１８】
本発明によれば、宅内に配置されるゲートウェイが、
端末からネットワークを介して所定の要求を受けた場合に、
前記端末の種別を特定し、
前記ゲートウェイに直接接続される機器、及び、前記ゲートウェイと家庭内ネットワークを介して接続される機器のうちの少なくとも一つから映像とオーディオの少なくとも一方を含むストリーム又はファイルを読み出し、
前記端末の種別に適した変換情報を作成し、
前記読み出したストリーム又はファイルに対して、前記変換情報に従い変換を施した上で、前記端末に送出する、ゲートウェイ方法が提供される。【００１９】
本発明によれば、宅内に配置されるゲートウェイが、
端末からネットワーク及び宅内に設置されるフェムトセルアクセスポイントを介して所定の要求を受けた場合に、
前記端末の種別を特定し、前記ゲートウェイに直接接続される機器、及び、前記家庭内ネットワークを介して接続される機器のうちの少なくとも一つから、映像とオーディオの少なくとも一方を含むストリーム又はファイルを読み出し、
前記端末の種別に対応した変換情報を作成し、
前記読み出したストリーム又はファイルに対して、前記変換情報に従い変換を施した上で、前記端末に送出するゲートウェイ方法が提供される。【００２０】
本発明によれば、宅内に配置されるゲートウェイを構成するコンピュータに、
端末からネットワークを介して所定の要求を受けた場合に、
前記端末の種別を特定し、
前記ゲートウェイに直接接続される機器、及び、前記ゲートウェイと家庭内ネットワークを介して接続される機器のうちの少なくとも一つから映像とオーディオの少なくとも一方を含むストリーム又はファイルを読み出し、
前記端末の種別に対応した変換情報を作成し、
前記読み出したストリーム又はファイルに対して、前記変換情報に従い変換を施した上で、前記端末に送出する処理を実行させる、プログラムが提供される。【００２１】
本発明によれば、宅内に配置されるゲートウェイを構成するコンピュータに、
端末からネットワーク及び宅内に設置されるフェムトセルアクセスポイントを介して所定の要求を受けた場合に、
前記端末の種別を特定し、前記宅内ゲートウェイに直接接続される機器、及び、前記家庭内ネットワークを介して接続される機器のうちの少なくとも一つから、映像とオーディオの少なくとも一方を含むストリーム又はファイルを読み出し、
前記端末の種別に適した変換情報を作成し、
前記読み出したストリーム又はファイルに対して、前記変換情報に従い変換を施した上で、前記端末に送出する処理を実行させるプログラムが提供される。【００２２】
本発明の別のアスペクトによれば、ネットワーク上に配置されるゲートウェイ装置であって、携帯端末から、前記ネットワークと異なるネットワークを介して又は同一のネットワークを介して、所定の要求を受けた場合に、前記携帯端末の種別を特定し、宅内に設置されるホームゲートウェイに対して要求を送出し、
前記ホームゲートウェイに直接接続される機器と、前記ホームゲートウェイと家庭内ネットワークを介して接続される機器とのうちの少なくとも一つから、映像とオーディオの少なくとも一方を含むストリーム又はファイルを読み出し、
前記携帯端末の種別に対応した変換情報を作成し、前記ストリーム又は前記ファイルに対して、前記変換情報に従い変換を施した上で、前記携帯端末に送出する変換部を含むゲートウェイ装置が提供される。【００２３】
本発明の別のアスペクトによれば、ネットワーク上に配置されるゲートウェイ装置であって、
携帯端末から所定の要求を受けた場合に、前記携帯端末の種別を特定し、宅内に設置されるフェムトセルアクセスポイントを介して、無線対応ホームゲートウェイに対して要求を送出し、
前記ホームゲートウェイ又は前記セットトップボックスに直接接続される機器と、前記ホームゲートウェイ又は前記セットトップボックスと家庭内ネットワークを介して接続される機器とのうちの少なくとも一つから、映像とオーディオの少なくとも一方を含むストリーム又はファイルを、前記無線対応ホームゲートウェイ及び前記フェムトセルアクセスポイントを経由して読み出し、
前記携帯端末の種別に対応した変換情報を作成し、
前記ストリーム又は前記ファイルに対し前記変換情報に従い変換を施した上で、前記携帯端末に送出する変換部を含むゲートウェイ装置が提供される。【００２４】
本発明の別のアスペクトによれば、ネットワーク上に配置されるゲートウェイ装置が、携帯端末から、前記ネットワークと異なるネットワークを介して又は同一のネットワークを介して、所定の要求を受けた場合に、前記携帯端末の種別を特定し、宅内に設置されるホームゲートウェイに対して要求を送出し、
前記ホームゲートウェイに直接接続される機器と、前記ホームゲートウェイと家庭内ネットワークを介して接続される機器とのうちの少なくとも一つから、映像とオーディオの少なくとも一方を含むストリーム又はファイルを読み出し、
前記携帯端末の種別と前記ネットワークの特性とのうちの少なくとも一つに対応した変換情報を作成し、前記ストリーム又は前記ファイルに対して、前記変換情報に従い変換を施した上で、前記携帯端末に送出するゲートウェイ方法が提供される。【００２５】
本発明の別のアスペクトによれば、ネットワーク上に配置されるゲートウェイ装置が、携帯端末から所定の要求を受けた場合に、前記携帯端末の種別を特定し、宅内に設置されるフェムトセルアクセスポイントを介して、無線対応ホームゲートウェイに対して要求を送出し、
前記ホームゲートウェイ又は前記セットトップボックスに直接接続される機器と、前記ホームゲートウェイ又は前記セットトップボックスと家庭内ネットワークを介して接続される機器とのうちの少なくとも一つから、映像とオーディオの少なくとも一方を含むストリーム又はファイルを、前記無線対応ホームゲートウェイ及び前記フェムトセルアクセスポイントを経由して読み出し、
前記携帯端末の種別とに対応した変換情報を作成し、
前記ストリーム又は前記ファイルに対し前記変換情報に従い変換を施した上で、前記携帯端末に送出する、ゲートウェイ方法が提供される。【００２６】
本発明の別のアスペクトによれば、ネットワーク上に配置されるゲートウェイ装置を構成するコンピュータに、
携帯端末から、前記ネットワークと異なるネットワークを介して又は同一のネットワークを介して、所定の要求を受けた場合に、前記携帯端末の種別を特定し、宅内に設置されるホームゲートウェイに対して要求を送出し、
前記ホームゲートウェイに直接接続される機器と、前記ホームゲートウェイと家庭内ネットワークを介して接続される機器とのうちの少なくとも一つから、映像とオーディオの少なくとも一方を含むストリーム又はファイルを読み出し、
前記携帯端末の種別に対応した変換情報を作成し、前記ストリーム又は前記ファイルに対して、前記変換情報に従い変換を施した上で、前記携帯端末に送出する処理を実行させるプログラムが提供される。【００２７】
本発明の別のアスペクトによれば、ネットワーク上に配置されるゲートウェイ装置を構成するコンピュータに、
携帯端末から所定の要求を受けた場合に、前記携帯端末の種別を特定し、宅内に設置されるフェムトセルアクセスポイントを介して、無線対応ホームゲートウェイに対して要求を送出し、
前記ホームゲートウェイ又は前記セットトップボックスに直接接続される機器と、前記ホームゲートウェイ又は前記セットトップボックスと家庭内ネットワークを介して接続される機器とのうちの少なくとも一つから、映像とオーディオの少なくとも一方を含むストリーム又はファイルを前記無線対応ホームゲートウェイ及び前記フェムトセルアクセスポイントを経由して読み出し、
前記携帯端末の種別に対応した変換情報を作成し、
前記ストリーム又は前記ファイルに対し前記変換情報に従い変換を施した上で、前記携帯端末に送出する処理を実行させるプログラムが提供される。【００２８】
本発明によれば、端末と、ゲートウェイと、前記ゲートウェイに直接接続される機器及び／又はネットワークを介して間接的に接続される機器と、を備えたネットワークシステムであって、前記ゲートウェイは、
端末からネットワークを介して所定の要求を受けた場合に、
前記端末の種別を特定し、
前記ゲートウェイに直接接続される機器、及び、前記ゲートウェイとネットワークを介して接続される機器のうちの少なくとも一つから、映像とオーディオの少なくとも一方を含むストリーム又はファイルを読み出し、
前記端末の種別に対応した変換情報を作成し、
前記読み出したストリーム又はファイルに対して前記変換情報に従い変換を施した上で、前記端末に送出する変換部を備えたネットワークシステムが提供される。【００２９】
本発明の別のアスペクトによれば、端末と、ネットワーク上に配置されるゲートウェイと、宅内に配置されたホームゲートウェイと、前記ホームゲートウェイに直接接続される機器及び／又はネットワークを介して間接的に接続される機器と、を備えたネットワークシステムであって、
前記ネットワーク上に配置されるゲートウェイ装置が、
前記端末から、前記ネットワークと異なるネットワークを介して又は同一のネットワークを介して、所定の要求を受けた場合に、前記携帯端末の種別を特定し、宅内に設置されるホームゲートウェイに対して要求を送出し、
前記ホームゲートウェイに直接接続される機器と、前記ホームゲートウェイと家庭内ネットワークを介して接続される機器とのうちの少なくとも一つから、映像とオーディオの少なくとも一方を含むストリーム又はファイルを読み出し、
前記携帯端末の種別に対応した変換情報を作成し、前記ストリーム又は前記ファイルに対して、前記変換情報に従い変換を施した上で、前記携帯端末に送出するネットワークシステムが提供される。
【発明の効果】
【００３０】
本発明によれば、各種端末の能力に応じて宅内のコンテンツを該端末で復号・表示可能とする宅内ゲートウェイを実現することができる。
【図面の簡単な説明】
【００３１】
【図１】本発明の第１の実施の形態のシステム構成を示す図である。
【図２】本発明の第１の実施の形態における宅内ゲートウェイの構成を示す図である。
【図３】本発明の第２の実施の形態のシステム構成を示す図である。
【図４】本発明の第３の実施の形態のシステム構成を示す図である。
【図５】本発明の第４の実施の形態のシステム構成を示す図である。
【図６】本発明の第４の実施の形態におけるゲートウェイの構成を示す図である。
【図７】本発明の第５の実施の形態のシステム構成を示す図である。
【図８】本発明の第６の実施の形態のシステム構成を示す図である。
【発明を実施するための形態】
【００３２】
本発明の実施の形態について説明する。本発明によれば、携帯電話やゲーム機などを含むどんな種類の端末であっても、端末を改造することなく宅内のコンテンツを復号・表示することがきる宅内ゲートウェイ装置を提供する。本発明に係る宅内ゲートウェイは、携帯電話を含む端末から所定の要求を受けた場合に、宅内に設置される宅内ゲートウェイに対して要求を出し、前記ゲートウェイに、直接、又は家庭内ネットワークを介して、接続される機器から映像とオーディオの少なくとも一方を含むコンテンツを読み出し、宅内ゲートウェイにおいて、前記コンテンツに対し、前記端末の能力又はネットワークの特性の少なくとも一つに適した変換を施した上で前記端末に送出する。
【００３３】
本発明によれば、宅内に配置される宅内ゲートウェイは、携帯端末からネットワークを介して所定の要求を受けた場合に、前記携帯端末の種別を特定し、前記ゲートウェイに直接接続される機器、及び、前記ゲートウェイと家庭内ネットワークを介して接続される機器のうちの少なくとも一つから映像とオーディオの少なくとも一方を含むストリーム又はファイルを読み出し、前記携帯端末の種別に対応した変換情報を作成し、前記読み出したストリーム又はファイルに対して、前記変換情報に従い変換を施した上で、前記携帯端末に送出する変換部（例えば図２の制御信号送受信部１１１、変換指示部１１７、トランスコーダ部１１３、ファイル変換部１１４、プロトコル変換部１１５を含む）を備えている。
【００３４】
本発明によれば、宅内に配置される宅内ゲートウェイは、携帯端末からネットワーク及び宅内に設置されるフェムトセルアクセスポイントを介して所定の要求を受けた場合に、前記携帯端末の種別を特定し、前記宅内ゲートウェイに、直接接続される機器、及び、前記家庭内ネットワークを介して接続される機器のうちの少なくとも一つから、映像とオーディオの少なくとも一方を含むストリーム又はファイルを読み出し、前記携帯端末の種別に適した変換情報を作成し、前記読み出したストリーム又はファイルに対して、前記変換情報に従い変換を施した上で、前記携帯端末に送出する変換部を備えている。
【００３５】
本発明において、前記変換部はコーデック、ビットレート、画面解像度、フレームレート、ファイル形式、プロトコルのうちの少なくとも一つに対する変換を実時間で行う。
【００３６】
あるいは、本発明に係るゲートウェイ装置は、携帯電話を含む携帯端末から要求があった場合は、家庭内（宅内）に設置されるホームゲートウェイに対して要求を出し、ゲートウェイに直接または家庭内ネットワークを介して接続される機器から映像またはオーディオの少なくとも一方を含むコンテンツを読み出し、前記コンテンツに対し前記携帯端末の能力またはネットワークの特性の少なくとも一つに適した変換を施した上で前記携帯端末に送出する。
【００３７】
本発明によれば、ネットワーク上に配置されるゲートウェイ装置であって、携帯端末から、前記ネットワークと異なるネットワークを介してまたは同一のネットワークを介して要求があった場合には、前記携帯端末の種別を特定し、宅内に設置されるホームゲートウェイに対して要求を出し、前記ホームゲートウェイに直接接続される機器、及び、前記ホームゲートウェイと家庭内ネットワークを介して接続される機器のうちの少なくとも一つから、映像またはオーディオの少なくとも一方を含むストリームまたはファイルを読み出し、前記携帯端末の種別（または、携帯端末の種別と前記ネットワークの特性のうちの少なくとも一つ）に対応した変換情報を作成し、前記ストリームまたは前記ファイルに対し、前記変換情報に従い変換を施した上で、前記携帯端末に送出する変換部（例えば図２の制御信号変換部１１１、変換指示部１１７、トランスコーダ部１１３、ファイル変換部１１４、プロトコル変換部１１５を含む）を有する。
【００３８】
本発明によれば、ゲートウェイ装置の変換部における変換は、コーデック、ビットレート、画面解像度、フレームレート、ファイル形式、プロトコル、等のうちの少なくとも一つに対する変換を含む。
【００３９】
本発明によれば、前記端末は、携帯電話、ＰＨＳ（Ｐｅｒｓｏｎａｌ  Ｈａｎｄｙｐｈｏｎｅ  Ｓｙｓｔｅｍ）、無線ＬＡＮ（Ｌｏｃａｌ  Ａｒｅａ  Ｎｅｔｗｏｒｋ）端末、ＷｉＭＡＸ端末、パーソナルコンピュータ、ゲーム機、デジタルフォトフレーム等を含む。
【００４０】
以下では、図１乃至図８を参照して、本発明の実施の形態について詳細に説明する。なお、以下の実施形態では、コンテンツの例として動画像の場合の構成例を示すが、静止画、オーディオ、音声の場合も同様の構成を用いることができる。
【００４１】
＜実施の形態１＞
図１は、本発明の一実施の形態のゲートウェイ装置を用いる接続構成を示す図である。図１において、宅内１５０において、ＳＴＢ（セットトップボックス）１５５、テレビ１５７、ＤＶＤ（Ｄｉｇｉｔａｌ  Ｖｅｒｓａｔｉｌｅ  Ｄｉｓｋ）／ＨＤＤ（Ｈａｒｄ  Ｄｉｓｋ  Ｄｒｉｖｅ）レコーダ１５８は、直接又は家庭内ネットワークを介して、宅内ゲートウェイ１５２に接続されている。ここで、宅内ゲートウェイ（ＨＧＷ）１５２、ＳＴＢ１５５、テレビ１５７、ＤＶＤ／ＨＤＤレコーダ１５８は、例えばＤＬＮＡ  （Ｄｉｇｉｔａｌ  Ｌｉｖｉｎｇ  Ｎｅｔｗｏｒｋ  Ａｌｌｉａｎｃｅ）ガイドラインに準拠することができる。また、宅内ゲートウェイ１５２は接続されている機器に格納されているコンテンツを外部のネットワーク側に出力する機能が必要である。
【００４２】
宅内ゲートウェイ１５２は、ネットワーク１３０に接続されている。ここで、ネットワーク１３０は、ＢＢ（ブロードバンドネットワーク）、ＮＧＮ（Ｎｅｘｔ  Ｇｅｎｅｒａｔｉｏｎ  Ｎｅｔｗｏｒｋ）、インターネット等が適用可能であるが、以下ではＢＢとして説明する。携帯端末１７０としては、以下では、携帯電話を用いることとする。携帯端末１７０はモバイルネットワーク１４０上の無線基地局１４１と無線通信し、モバイルネットワーク１４０からネットワーク（ＢＢ）１３０を介して宅内ゲートウェイ１５２と通信接続する。
【００４３】
携帯端末１７０は宅内ゲートウェイ１５２宛に接続要求を出す。以下では接続要求に使用するプロトコルとして、ＴＣＰ／ＩＰ（Ｔｒａｎｓｐｏｒｔ  Ｃｏｎｔｒｏｌ  Ｐｒｏｔｏｃｏｌ／Ｉｎｔｅｒｎｅｔ  Ｐｒｏｔｏｃｏｌ）上のＨＴＴＰ（ＨｙｐｅｒＴｅｘｔ  Ｔｒａｎｓｐｏｒｔ  Ｐｒｏｔｏｃｏｌ）を用いることとするが、ＳＩＰ（Ｓｅｓｓｉｏｎ  Ｉｎｉｔｉａｔｉｏｎ  Ｐｒｏｔｏｃｏｌ）等を使用することもできる。
【００４４】
ＨＴＴＰを用いる場合、リクエストコマンド（ＨＴＴＰリクエスト）を用いて接続要求をすることができる。
【００４５】
次に携帯端末１７０は宅内ゲートウェイ１５２からコンテンツリストを受信し、視聴したいコンテンツを選択し、宅内ゲートウェイ１５２に通知する。
【００４６】
次に、図１の宅内ゲートウェイ１５２について説明する。図２は、宅内ゲートウェイ１５２の構成を示す図である。図２を参照すると、宅内ゲートウェイ１５２は、制御信号送受信部１１１と、パケット受信部１１２と、トランスコーダ部１１３と、ファイル変換部１１４と、プロトコル変換部１１５と、パケット送信部１１６と、変換指示部１１７と、能力テーブル１１８とを備えている。
【００４７】
制御信号送受信部１１１は、携帯端末１７０からＨＴＴＰリクエストコマンドを受信する。ＨＴＴＰリクエストコマンドのユーザエージェントヘッダ（Ｕｓｅｒ  Ａｇｅｎｔ  Ｈｅａｄｅｒ）に記載されている端末種別情報を読み出し、携帯端末１７０の端末種別（機種）を特定する。例えば、端末種別情報としては、携帯電話製造メーカや形式等があげられる。そして端末種別情報を変換指示部１１７に出力する。
【００４８】
また、制御信号送受信部１１１は、携帯端末１７０から、読み出し対象のコンテンツの情報を受信し、ＤＶＤ／ＨＤＤレコーダ１５８に対し、コンテンツファイルの読み出しを指示する。
【００４９】
ＤＶＤ／ＨＤＤレコーダ１５８から送信された該コンテンツファイルをパケット受信部１１２において受信し、ファイルに格納されたストリームを抽出して、トランスコーダ部１１３に出力する。
【００５０】
またパケット受信部１１２は、該コンテンツファイルに格納されているコンテンツ情報（例えば映像の圧縮符号化方式、映像の画面解像度、ビットレート、フレームレート、映像コンテンツの時間長、オーディオの圧縮符号化方式、オーディオコンテンツの時間長等）を読み取り、変換指示部１１７に出力する。
【００５１】
変換指示部１１７は、端末種別情報を制御信号送受信部１１１から受け取り、コンテンツ情報をパケット受信部１１２から受け取り、トランスコーダ部１１３でどのような変換を行うのかを決定する。例えば、コンテンツ情報によれば、ＤＶＤ／ＨＤＤレコーダ１５８から読み出す映像コンテンツが、ＭＰＥＧ−２  ＭＰ（Ｍａｉｎ  Ｐｒｏｆｉｌｅ）  ８Ｍｂｐｓ（メガビット／秒）で圧縮符号化され、画面解像度がＳＤ（７２０ｘ４８０ピクセル）フレームレートが３０ｆｐｓ（フレーム／秒）であることを認識する。また、端末情報から、携帯端末１７０が新型の携帯電話であることを認識する。
【００５２】
変換指示部１１７は、端末の機種毎に、
・許容できるコーデック；
・画面解像度；
・フレームレート；
・受信可能なファイル形式とファイルサイズ；
・受信プロトコル；
等の能力情報を、能力テーブル１１８に予め保持しておき、端末毎に、能力テーブル１１８から適切な能力情報を読み出す。
【００５３】
本実施の形態では、端末の機種が新規の端末であるため、能力テーブル１１８から読み出した能力情報としては、Ｈ．２６４符号化で５１２ｋｂｐｓ、ＱＶＧＡ（Ｑｕａｒｔｅｒ  Ｖｉｄｅｏ  Ｇｒａｐｈｉｃ  Ａｒｒａｙ：３２０ｘ２４０ピクセル）画面解像度、フレームレートは３０ｆｐｓとなる。
【００５４】
変換指示部１１７は、前記コンテンツ情報と、前記端末の能力情報との間を変換するための変換情報（例えば、ＭＰＥＧ−２  ＭＰデコード（復号）し、画面解像度をＳＤからＱＶＧＡに変換し、Ｈ．２６４  ５１２ｋｂｐｓ、３０ｆｐｓでエンコード（符号化）する等）を作成し、変換情報を、トランスコーダ部１１３等に出力する。また、変換指示部１１７は、能力テーブル１１８から読み出した能力情報を、ファイル変換部１１４、プロトコル変換部１１５、パケット送信部１１６に出力する。
【００５５】
トランスコーダ部１１３は、パケット受信部１１２から抽出されたストリームを受信し、変換指示部１１７から、上記変換情報（例えば、ＭＰＥＧ−２  ＭＰデコードし、画面解像度をＳＤからＱＶＧＡに変換し、Ｈ．２６４  ５１２ｋｂｐｓ、３０ｆｐｓでエンコードする等）を受け取り、この変換情報に従い、実時間で動作するトランスコーダを動作させ、該ストリームに対して、変換（例えば、受信したストリームに対しＭＰＥＧ−２  ＭＰデコードし、画面解像度をＳＤからＱＶＧＡに変換し、Ｈ．２６４  ５１２ｋｂｐｓ  ３０ｆｐｓでエンコードする等）を施し、変換後のストリームを、ファイル変換部１１４に出力する。
【００５６】
ファイル変換部１１４は、変換指示部１１７から、携帯端末１７０の能力情報を入力し、トランスコーダ部１１３から変換後のストリームを入力し、前記能力情報に従い、ストリームを携帯端末１７０に送出するためのファイル形式に変換する。ここで、ファイル形式には、例えば、３ＧＰＰ、３ＧＰＰ２  ＭＰ４等があり、携帯端末の機種によって、許容できるファイル形式が異なる。
【００５７】
したがって、端末に関する前記能力情報に従い、どのファイル形式を使用するかを決定し、決定されたファイル形式に従い、ファイルを生成し、当該ファイルの中に、変換後のストリームを格納し、ファイルをプロトコル変換部１１５に出力する。ここで、例えば３ＧＰＰＰファイルフォーマットの詳細は、３ＧＰＰ  ＴＳ２６．２４４規格を参照することができる。
【００５８】
プロトコル変換部１１５は、変換指示部１１７から前記能力情報を入力し、携帯端末１７０が受け取ることができるプロトコルを決定し、ファイル変換部１１４からファイルを入力し、このプロトコルによりファイルを送出する。ここで、プロトコルとしては、例えばＨＴＴＰ／ＴＣＰ等が用いられる。以下では、ＨＴＴＰ／ＴＣＰプロトコルを用いるものとし、ＨＴＴＰ／ＴＣＰ／ＩＰプロトコルにより、ファイル形式を読み込んだものをパケット送信部１１６に出力する。
【００５９】
パケット送信部１１６は、変換指示部１１７から前記能力情報を入力し、さらに携帯端末１７０の受信ＩＰアドレス等を入力し、プロトコル変換部１１５からプロトコルおよびファイル形式を入力し、携帯端末１７０に対して、ＴＣＰ／ＩＰパケットを送出する。
【００６０】
再び図１を参照すると、宅内ゲートウェイ１５２から、ネットワーク１３０を介しモバイルネットワーク１４０に接続された携帯端末１７０に向け、ＴＣＰ／ＩＰパケットが送出される。
【００６１】
携帯端末１７０は、モバイルネットワーク１４０からＴＣＰ／ＩＰパケットによりコンテンツファイルを受信し、コンテンツファイルからストリームを取り出し、復号、再生、表示を行う。
【００６２】
なお、上記した実施の形態は、あくまでも一例である。別の実施の形態として、例えばネットワーク１３０は、ブロードバンド網だけでなく、ＮＧＮ（Ｎｅｘｔ  Ｇｅｎｅｒａｔｉｏｎ  Ｎｅｔｗｏｒｋ）網、インターネット等を用いることができる。
【００６３】
携帯端末１７０がＲＴＰ（Ｒｅａｌｔｉｍｅ  Ｔｒａｎｓｐｏｒｔ  Ｐｒｏｔｏｃｏｌ）ストリームも受信できる場合には、図２において、トランスコーダ部１１３から、ファイル変換部１１４をバイパスして、プロトコル変換部１１５に出力し、プロトコル変換部１１５で、ＲＴＰ／ＵＤＰ（Ｕｓｅｒ  Ｄａｔａｇｒａｍ  Ｐｒｏｔｏｃｏｌ）プロトコルに変換し、パケット送信部１１６から、ＲＴＰ／ＵＤＰ／ＩＰストリームを携帯端末１７０に送出する構成としてもよい。
【００６４】
モバイルネットワーク１４０は、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）網、ＬＴＥ（Ｌｏｎｇ  Ｔｅｒｍ  Ｅｖｏｌｕｔｉｏｎ）網等も、同じ構成にて使用することができる。また、フェムトセルアクセスポイントを用いたネットワークを使用することもできる。
【００６５】
ＤＶＤ／ＨＤＤレコーダ１５８は、映像コンテンツの圧縮符号化に使用するコーデックとしては、ＭＰＥＧ−２以外の周知のコーデック、例えば、Ｈ．２６４やＭＰＥＧ−４やＷＭＶ（Ｗｉｎｄｏｗｓ（登録商標）  Ｍｅｄｉａ  Ｖｉｄｅｏ）等を使用することもできる。この場合、トランスコーダ部１１３において、宅内ゲートウェイ１５２から受信したストリームをデコードするときに、ＭＰＥＧ−２以外の、Ｈ．２６４、ＭＰＥＧ−４やＷＭＶ等を使用することができる。
【００６６】
また、ＤＶＤ／ＨＤＤレコーダ１５８から読み出したストリームに暗号が施されている場合は、宅内ゲートウェイ１５２は、パケット受信部１１２でストリームを取り出し、トランスコーダ部１１３に出力した際に、トランスコーダ部１１３で暗号を復号化した上で変換を行うような構成とすることができる。この場合、宅内ゲートウェイ１５２は、暗号復号に関する情報を入手し、この情報を変換指示部１１７に通知し、変換指示部１１７を介して、トランスコーダ部１１３に通知するような構成としてもよい。
【００６７】
上記した実施の形態は、動画信号を圧縮符号化したコンテンツに対応するものであるが、静止画や、オーディオ信号等に対しても、同一の構成で対応することができる。
【００６８】
なお、上記実施の形態において、図２に示した宅内ゲートウェイ１５２において、制御信号送受信部１１１と、パケット受信部１１２と、トランスコーダ部１１３と、ファイル変換部１１４と、プロトコル変換部１１５と、パケット送信部１１６と、変換指示部１１７は、宅内ゲートウェイ１５２を構成するコンピュータ上で動作するプログラムによりその処理・機能を実現するようにしてもよいことは勿論である。以下の実施の形態についても同様である。
【００６９】
＜実施の形態２＞
図３は、本発明の第２の実施の形態を示すブロック図である。図３において、図１および図２と同一の番号を付した構成要素は、図１および図２の各々と同一の動作を行うため、その説明は省略する。図３では、携帯端末として携帯電話以外の端末、例えば、パソコン１８０や、ゲーム機１９０等を接続する場合の接続構成を示している。
【００７０】
パソコン１８０やゲーム機１９０は、インターネット網１６０を介して、端末特定のプロトコル（例えばＨＴＴＰ）により、宅内ゲートウェイ１５２に接続要求信号を送信する。宅内ゲートウェイ１５２とのこれ以降のやりとりは、図１の場合と同じであるので、説明は省略する。
【００７１】
なお、ゲーム機１９０のかわりに、デジタルフォトフレーム等を使用することもできる。また、インターネット網１６０のかわりに、地域網又は無線ＬＡＮ網等を用いることもできる。
【００７２】
＜実施の形態３＞
図４は、本発明の第３の実施の形態を示した構成である。図４において、図１と同一の番号を付した構成要素は、図１と同じ働きをするので説明は省略する。図４では、携帯端末１７０は、携帯電話を示している。携帯端末１７０は、モバイルネットワーク１４０を介して宅内に設置されたフェムトセルアクセスポイント２００にアクセスし、フェムトセルアクセスポイント２００を介して、無線により、無線対応宅内ゲートウェイ２１０と通信する。
【００７３】
無線対応宅内ゲートウェイ２１０は、フェムトセルアクセスポイント２００との間を無線で信号を送受する。ここで、無線対応宅内ゲートウェイ２１０は、図２に示した宅内ゲートウェイ１５２に対し、無線機能を追加したものであり、無線機能以外は、図２の構成と同じである。なお、無線対応宅内ゲートウェイ２１０に実装される無線機能としては、例えば、
・ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、
・ＨＳＰＡ（Ｈｉｇｈ  Ｓｐｅｅｄ  Ｐａｃｋｅｔ  Ａｃｃｅｓｓ）、又は、
・ＬＴＥ（Ｌｏｎｇ  Ｔｅｒｍ  Ｅｖｏｌｕｔｉｏｎ）
等を使用することができる。
【００７４】
また、フェムトセルアクセスポイント２００として、
・ＨＮＢ（Ｈｏｍｅ  Ｎｏｄｅ  Ｂ）、
・ＨｅＮＢ（Ｈｏｍｅ  ｅＮｏｄｅＢ）
等を用いることもできる。
【００７５】
図３、図４に示した構成は、あくまで実施の形態の一例である。別の実施の形態として、図３でネットワーク１３０は、ブロードバンド網だけでなく、ＮＧＮ（Ｎｅｘｔ  Ｇｅｎｅｒａｔｉｏｎ  Ｎｅｔｗｏｒｋ）網、インターネット等を用いることができる。
【００７６】
携帯端末１７０がファイル形式だけではなく、ＲＴＰストリームも受信できる場合は、図２の宅内ゲートウェイの構成において、ファイル変換部１１４はバイパスして、プロトコル変換部１１５においてＲＴＰ／ＵＤＰプロトコルに変換するような構成とし、パケット送信部１１６からＲＴＰ／ＵＤＰ／ＩＰストリームを携帯端末１７０に送出するようにしてもよい。
【００７７】
図４でモバイルネットワーク１４０は、ＷｉＭａｘ網、ＬＴＥ網等も、同じ構成にて使用することができる。
【００７８】
ＤＶＤ／ＨＤＤレコーダ１５８で映像コンテンツの圧縮符号化に使用するコーデックとしては、ＭＰＥＧ−２以外の周知のコーデック、例えば、Ｈ．２６４やＭＰＥＧ−４やＷＭＶ（Ｗｉｎｄｏｗｓ（登録商標）  Ｍｅｄｉａ  Ｖｉｄｅｏ）等を使用することもできる。この場合、トランスコーダ部１１３において、宅内ゲートウェイ１５２から受信したストリームをデコードするときに、ＭＰＥＧ−２以外の、Ｈ．２６４、ＭＰＥＧ−４やＷＭＶ等を使用することができる。
【００７９】
また、ＤＶＤ／ＨＤＤレコーダ１５８から読み出したストリームに暗号が施されている場合は、宅内ゲートウェイ１５２又は無線対応宅内ゲートウェイ２１０は、パケット受信部１１２でストリームを取り出し、トランスコーダ部１１３に出力した際に、トランスコーダ部１１３で暗号を復号化した上で変換を行うような構成をとることができる。この場合、宅内ゲートウェイ１５２は暗号復号に関する情報を入手し、本情報を変換指示部１１７に通知し、変換指示部１１７を介してトランスコーダ部１１３に通知するような構成をとることもできる。
【００８０】
本発明によれば、宅内にある映像を含むコンテンツに対し、携帯電話、携帯端末、ゲーム機、等、映像やオーディオ等のコンテンツを復号できる能力が端末により異なっていても、宅内ゲートウェイによって、端末の能力やネットワークの特性に応じた、変換を実時間に施すことにより、端末を改造することなく、種々の端末で、宅内の映像コンテンツを復号、表示することができる、という効果を奏する。
【００８１】
なお、上記した実施形態における宅内ゲートウェイ装置の機能を、ネットワーク１３０上に配置されモバイルネットワーク１４０との間の相互接続を行うゲートウェイ装置に実装してもよいことは勿論である。以下、実施形態４乃至６として説明する。
【００８２】
＜実施形態４＞
図５は、本発明の第４の実施形態のゲートウェイ装置を用いる接続構成を示す図である。図５において、宅内１５０において、ＳＴＢ（セットトップボックス）１５５、テレビ１５７、ＤＶＤ（Ｄｉｇｉｔａｌ  Ｖｅｒｓａｔｉｌｅ  Ｄｉｓｋ）／ＨＤＤ（Ｈａｒｄ  Ｄｉｓｋ  Ｄｒｉｖｅ）レコーダ１５８は、直接または家庭内ネットワークを介して宅内ゲートウェイ（ＨＧＷ：ホームゲートウェイ）１５２’に接続されている。ここで、製品１５２’、１５５、１５７、１５８は、例えばＤＬＮＡ（Ｄｉｇｉｔａｌ  Ｌｉｖｉｎｇ  Ｎｅｔｗｏｒｋ  Ａｌｌｉａｎｃｅ）ガイドラインに準拠することができる。また、ＨＧＷ１５２’は接続されている機器に格納されているコンテンツを外部のネットワーク側に出力する機能が必要であるが、ＨＧＷ１５２’のかわりに、ブロードバンドルータやホームサーバ等を用いることもできる。
【００８３】
ＨＧＷ１５２’はネットワーク１３０に接続されている。ここでネットワーク１３０は、ＢＢ（ブロードバンドネットワーク）、ＮＧＮ（Ｎｅｘｔ  Ｇｅｎｅｒａｔｉｏｎ  Ｎｅｔｗｏｒｋ）、インターネット等が考えられるが、以下ではＢＢとして説明する。
【００８４】
ゲートウェイ装置１１０は、ＨＧＷ１５２’と同一のネットワーク１３０上に配置され、ＨＧＷ１５２’とヘルスチェック通信等を定期的に行い、お互いのＩＰアドレスを通知しあった上で通信路を確保しておく。
【００８５】
携帯端末１７０としては、以下では携帯電話を用いることとして説明する。携帯端末１７０は、接続を行う際に、モバイルネットワーク１４０とネットワーク１３０を介して、ウェブサーバ１２０にアクセスし認証を行う。認証後にコンテンツ選択画面で見たいコンテンツを選択する。
【００８６】
ウェブサーバ１２０は、認証完了した通知とコンテンツ選択結果をゲートウェイ装置１１０に出力するとともに、携帯端末１７０に対し、ゲートウェイ装置１１０の受信ＩＰアドレスを通知する。
【００８７】
携帯端末１７０は、ゲートウェイ装置１１０宛てに接続要求を出す。以下では、接続要求に使用するプロトコルはＴＣＰ／ＩＰ（Ｔｒａｎｓｐｏｒｔ  Ｃｏｎｔｒｏｌ  Ｐｒｏｔｏｃｏｌ／Ｉｎｔｅｒｎｅｔ  Ｐｒｏｔｏｃｏｌ）上のＨＴＴＰ（ＨｙｐｅｒＴｅｘｔ  Ｔｒａｎｓｐｏｒｔ  Ｐｒｏｔｏｃｏｌ）とするが、ＳＩＰ（Ｓｅｓｓｉｏｎ  Ｉｎｉｔｉａｔｉｏｎ  Ｐｒｏｔｏｃｏｌ）等を使用することもできる。ＨＴＴＰを用いる場合、リクエストコマンド（ＨＴＴＰリクエスト）を用いて接続要求をすることができる。
【００８８】
図６は、ゲートウェイ装置１１０の構成を示す図である。図６の構成は、基本的に図２の構成と同一である。図６を参照すると、ゲートウェイ装置１１０は、制御信号変換部１１１と、パケット受信部１１２と、トランスコーダ部１１３と、ファイル変換部１１４と、プロトコル変換部１１５と、パケット送信部１１６と、変換指示部１１７と、を備えている。
【００８９】
制御信号変換部１１１は、ウェブサーバ１２０から、認証完了の通知とコンテンツ選択結果を受け取り、携帯端末１７０からＨＴＴＰリクエストコマンドを受信する。
【００９０】
制御信号変換部１１１は、ＨＴＴＰリクエストコマンドのユーザエージェント（Ｕｓｅｒ−Ａｇｅｎｔ）ヘッダ（このＨＴＴＰリクエストを発したＷｅｂブラウザの種類）に記載してある端末種別情報を読み出し、携帯端末１７０の端末種別を特定する。例えば、端末種別情報としては、携帯電話製造メーカや形式等があげられる。
【００９１】
制御信号変換部１１１は、端末種別情報を変換指示部１１７に出力する。
【００９２】
一方、制御信号変換部１１１は、ＨＧＷ１５２’から定期的に、例えばヘルスチェック信号を受信する等して、ＨＧＷ１５２’の受信ＩＰアドレス等の通知を受けている。
【００９３】
制御信号変換部１１１は、携帯端末１７０からのＨＴＴＰによるリクエストコマンドを、例えば、ＳＩＰ  （Ｓｅｓｓｉｏｎ  Ｉｎｉｔｉａｔｉｏｎ  Ｐｒｏｔｏｃｏｌ）のＩｎｖｉｔｅメッセージ（セッション確立メッセージ）に変換し、ＨＧＷ１５２’の受信ＩＰアドレス宛に送信する。さらに、制御信号変換部１１１は、コンテンツ選択結果を、例えば、ＳＩＰのＩｎｆｏメッセージ（セッション制御情報の送信）に変換し、ＨＧＷ１５２’に送信する。
【００９４】
図５に戻って、ＨＧＷ１５２’は、ゲートウェイ装置１１０からＳＩＰ  Ｉｎｖｉｔｅメッセージを受信し、セッションを開設する。
【００９５】
さらに、ＨＧＷ１５２’は、ゲートウェイ装置１１０から、ＳＩＰ  Ｉｎｆｏメッセージを受信してこれを解析し、読み出す映像コンテンツを特定し、ＤＶＤ／ＨＤＤレコーダ１５８に通知する。さらにＨＧＷ１５２’は、該コンテンツのファイルをＤＶＤ／ＨＤＤレコーダ１５８から読み出し、該コンテンツのファイルをゲートウェイ装置１１０に対し、ＴＣＰ／ＩＰ上のＵＰｎＰ（Ｕｎｉｖｅｒｓａｌ  Ｐｌｕｇ  ａｎｄ  Ｐｌａｙ）プロトコルを用いて、ネットワーク１３０に送出する。
【００９６】
再び図６を参照すると、ゲートウェイ装置１１０のパケット受信部１１２は、ＨＧＷ１５２’からコンテンツファイルのパケットを受信し、ファイルに格納されたストリームを抽出してトランスコーダ部１１３に出力する。
【００９７】
さらに、パケット受信部１１２は、該コンテンツファイルに格納されているコンテンツ情報（例えば映像の圧縮符号化方式、映像の画面解像度、ビットレート、フレームレート、映像コンテンツの時間長、オーディオの圧縮符号化方式、オーディオコンテンツの時間長等）を読み取り、変換指示部１１７に出力する。
【００９８】
変換指示部１１７は、端末種別情報を制御信号変換部１１１から受け取り、コンテンツ情報をパケット受信部１１２から受け取り、トランスコーダ部１１３でどのような変換を行うのかを決定する。例えば、コンテンツ情報によれば、ＨＧＷ１５２’から受信する映像コンテンツが、ＭＰＥＧ−２  ＭＰ（Ｍｏｖｉｎｇ  Ｐｉｃｔｕｒｅ  Ｅｘｐｅｒｔｓ  Ｇｒｏｕｐ  Ｐｈａｓｅ  ２  Ｍａｉｎ  Ｐｒｏｆｉｌｅ）１０Ｍｂｐｓ（メガビット／秒）で圧縮符号化され、画面解像度がＳＤ（Ｓｔａｎｄａｒｄ  Ｄｅｆｉｎｉｔｉｏｎ：７２０  ｘ  ４８０ピクセル）、フレームレートが３０ｆｐｓ（フレーム／秒）である。
【００９９】
また、端末種別情報から、携帯端末１７０が新型の携帯電話であることから、Ｈ．２６４符号化で７８４  ｋｂｐｓ、ＱＶＧＡ（Ｑｕａｒｔｅｒ  Ｖｉｄｅｏ  Ｇｒａｐｈｉｃ  Ａｒｒａｙ：３２０  ｘ  ２４０ピクセル）の画面解像度を許容できるので、これらの間を変換するための変換情報（例えば、ＭＰＥＧ−２  ＭＰデコードし、画面解像度をＳＤからＱＶＧＡに変換し、Ｈ．２６４  ５１２ｋｂｐｓ（キロビット／秒）でエンコードする等）を作成し、変換情報をトランスコーダ部１１３に出力する。
【０１００】
トランスコーダ部１１３は、パケット受信部１１２から抽出されたストリームを受信し、変換指示部１１７から上述した変換情報（例えば、ＭＰＥＧ−２  ＭＰデコードし、画面解像度をＳＤからＱＶＧＡに変換し、Ｈ．２６４  ５１２ｋｂｐｓでエンコードする等）を受け取り、これに従い実時間で動作するトランスコーダを動作させ、前記ストリームに対して変換（例えば、受信したストリームに対しＭＰＥＧ−２  ＭＰデコードし、画面解像度をＳＤからＱＶＧＡに変換し、Ｈ．２６４  ５１２ｋｂｐｓでエンコードする等）を施し、変換後のストリームをファイル変換部１１４に出力する。
【０１０１】
ファイル変換部１１４は、変換指示部１１７から携帯端末１７０の機種情報を入力し、トランスコーダ部１１３から変換後のストリームを入力し、該機種情報に従い、ストリームを携帯端末１７０に送出するためにファイル形式に変換する。ファイル形式には、例えば３ＧＰ、３ＧＰ２、ＭＰ４等がある。携帯端末の機種によって許容できるファイル形式が異なるので、変換指示部１１７から受け取った携帯端末１７０の前記機種情報に従って、どのファイル形式を使用するかを決定し、決定されたファイル形式を用いてその中に変換後のストリームを格納し、ファイルをプロトコル変換部１１５に出力する。ここで、３ＧＰファイルフォーマットの詳細は、例えば、３ＧＰＰ  ＴＳ２６．２４４規格を参照することができる。
【０１０２】
プロトコル変換部１１５は、変換指示部１１７から携帯端末１７０の機種情報を入力し、ファイル変換部１１４からファイルを入力し、携帯端末１７０が受け取ることができるプロトコルを決定し、このプロトコルによりファイルを送出する。プロトコルとしては例えばＨＴＴＰ等がある。以下ではＨＴＴＰプロトコルを用いるものとし、ＨＴＴＰ／ＴＣＰ／ＩＰプロトコルによりファイル形式を読み込んだものをパケット送信部１１６に出力する。
【０１０３】
パケット送信部１１６は、変換指示部１１７から前記機種情報を入力しさらに携帯端末１７０の受信ＩＰアドレス等を入力し、プロトコル変換部１１５からプロトコル及びファイル形式を入力し、ＴＣＰ／ＩＰパケットを送出する。
【０１０４】
ふたたび図５に戻って、ゲートウェイ装置１１０から、ネットワーク１３０を介しモバイルネットワーク１４０上の携帯端末１７０に向け、ＴＣＰ／ＩＰパケットが送出される。
【０１０５】
携帯端末１７０は、モバイルネットワーク１４０を経由して、ＴＣＰ／ＩＰパケットによりコンテンツファイルを受信し、前記ファイルからストリームを取り出し、復号、再生、表示を行う。以上で実施形態の説明を終える。上記の実施形態はあくまでも一例であり別の実施形態として、ネットワーク１３０は、ブロードバンド網だけでなく、ＮＧＮ（Ｎｅｘｔ  Ｇｅｎｅｒａｔｉｏｎ  Ｎｅｔｗｏｒｋ）網、インターネット等を用いることができる。
【０１０６】
制御信号変換部１１１では、ＨＧＷ１５２’がネットワーク１３０を介してＨＴＴＰを受信できる場合には、ＨＴＴＰリクエストをそのままＨＧＷ１５２’に送出する形態をとることもできる。
【０１０７】
また、携帯端末１７０がＲＴＰ（Ｒｅａｌ−ｔｉｍｅ  Ｔｒａｎｓｐｏｒｔ  Ｐｒｏｔｏｃｏｌ）ストリームも受信できる場合は、トランスコーダ部１１３からファイル変換部１１４をバイパスし、プロトコル変換部１１５に出力し、プロトコル変換部１１５においてＲＴＰ／ＵＤＰ（Ｕｓｅｒ  Ｄａｔａｇｒａｍ  Ｐｒｏｔｏｃｏｌ）プロトコルに変換し、パケット送信部１１６からＲＴＰ／ＵＤＰ／ＩＰストリームを携帯端末１７０に送出する構成としてもよい。
【０１０８】
モバイルネットワーク１４０は、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）網、ＬＴＥ（Ｌｏｎｇ  Ｔｅｒｍ  Ｅｖｏｌｕｔｉｏｎ）網等も、同じ構成にて使用することができる。また、Ｆｅｍｔｏセルアクセスポイントを用いたネットワークを使用することもできる。
【０１０９】
また、モバイルネットワーク１４０は、モバイル回線交換網を使用することもできるが、この場合は、ゲートウェイ装置１１０において、制御信号変換部１１１とパケット送信部１１６の構成を変更する必要がある。制御信号変換部１１１は、モバイル回線交換の呼制御信号（例えばＩＳＵＰ（ＩＳＤＮ  Ｕｓｅｒ  Ｐａｒｔ）等）を受信できるように変更する。
【０１１０】
パケット送信部１１６は不要となりＨ．２２３送信部に置き換える。Ｈ．２２３送信部は、３Ｇ−３２４Ｍ等のモバイル回線交換ＴＶ電話プロトコルをサポートする構成を用いることができる。
【０１１１】
ＤＶＤ／ＨＤＤレコーダ１５８では、映像コンテンツの圧縮符号化に使用するコーデックとしては、ＭＰＥＧ−２以外の周知のコーデック、例えば、Ｈ．２６４やＭＰＥＧ−４やＷＭＶ（Ｗｉｎｄｏｗｓ（登録商標）  Ｍｕｌｔｉｍｅｄｉａ  Ｖｉｄｅｏ）等を使用することもできる。この場合、トランスコーダ部１１３において、ＨＧＷ１５２’から受信したストリームをデコードするときに、ＭＰＥＧ−２以外の、Ｈ．２６４、ＭＰＥＧ−４やＷＭＶ等を使用することができる。
【０１１２】
また、ＨＧＷ１５２’を介してＤＶＤ／ＨＤＤレコーダ１５８から読み出したストリームに暗号が施されている場合は、ゲートウェイ装置１１０は、パケット受信部１１２において、ストリームを取り出した際に、暗号を復号化した上で、トランスコーダ部１１３に出力するような構成をとることができる。この場合、ゲートウェイ装置１１０及び制御信号変換部１１１は、ＨＧＷ１５２’またはサービス事業者のサーバから、暗号復号に関する情報を入手し、この情報を変換指示部１１７に通知し、パケット受信部１１２に通知する構成をするようにしてもよい。
【０１１３】
上記の実施の形態は、動画信号を圧縮符号化したコンテンツに対応するものであるが、静止画や、オーディオ信号等に対しても、同一の構成で対応することができる。
【０１１４】
なお、図６のゲートウェイ装置１１０の各部の処理、機能は、ゲートウェイ装置を構成するコンピュータ上で実行されるプログラムによりその機能、処理を実現するようにしてもよいことは勿論である。
【０１１５】
＜実施形態５＞
図７は、本発明の第５の実施の形態を示す図である。図７において、図５と同一の番号を付した構成要素は、図５と同一の動作を行うので、説明は省略する。
【０１１６】
図７では、携帯端末として携帯電話以外の端末、例えば、パソコン１８０や、ゲーム機１９０等を接続する場合の接続構成を示している。パソコン１８０やゲーム機１９０は、インターネット網１６０を介して、端末特定のプロトコル（例えばＨＴＴＰ）により、ゲートウェイ装置１１０に接続要求信号を送信する。ゲートウェイ装置１１０とのこれ以降のやりとりは、図５の場合と同じであるので、説明は省略する。なお、ゲーム機１９０のかわりに、デジタルフォトフレーム等を用いるようにしてもよい。また、インターネット網１６０のかわりに、地域網または無線ＬＡＮ網を用いるようにしてもよい。
【０１１７】
＜実施形態６＞
図８は、本発明の第６の実施の形態の構成を示す図である。なお、図８において、図５と同一の番号を付した構成要素は図５と同じ働きをするので説明は省略する。
【０１１８】
図８の例では、携帯端末１７０は、無線基地局１４１と無線接続する携帯電話からなる。本実施形態では、ゲートウェイ装置１１０は、モバイルネットワーク１４０上に配置される。ゲートウェイ装置１１０は、フェムトセルアクセスポイント２００を介してＨＧＷ１５２’と通信する構成とされる。無線対応ＨＧＷ２１０は、フェムトセルアクセスポイント２００との間を無線でやりとりする。
【０１１９】
ここで、無線機能としては、ＨＳＤＰＡ  （Ｈｉｇｈ  Ｓｐｅｅｄ  Ｄｏｗｎｌｉｎｋ  Ｐａｃｋｅｔ  Ａｃｃｅｓｓ）、ＨＳＰＡ（Ｈｉｇｈ  Ｓｐｅｅｄ  Ｐａｃｋｅｔ  Ａｃｃｅｓｓ）またはＬＴＥ  （Ｌｏｎｇ  Ｔｅｒｍ  Ｅｖｏｌｕｔｉｏｎ）等を使用することができる。また、フェムトセルアクセスポイントとして、ＨＮＢ（Ｈｏｍｅ  Ｎｏｄｅ  Ｂ）やＨｅＮＢ（Ｈｏｍｅ  ｅＮｏｄｅＢ）等を用いることもできる。
【０１２０】
図７、図８は、あくまでも一実施形態であり、別の実施形態として、図７でネットワーク１３０は、ブロードバンド網だけでなく、ＮＧＮ（Ｎｅｘｔ  Ｇｅｎｅｒａｔｉｏｎ  Ｎｅｔｗｏｒｋ）網、インターネット等を用いることができる。
【０１２１】
図７及び図８で制御信号変換部１１１では、ＨＧＷ１５２’（２１０’）がネットワーク１３０を介してＨＴＴＰを受信できる場合は、ＨＴＴＰリクエストをそのままＨＧＷ１５２’（２１０’）に送出する形態をとることもできる。
【０１２２】
また、携帯端末１７０がファイル形式だけではなく、ＲＴＰストリームも受信できる場合は、ファイル変換部１１４はバイパスして、プロトコル変換部１１５においてＲＴＰ／ＵＤＰプロトコルに変換するような構成とし、パケット送信部１１６からＲＴＰ／ＵＤＰ／ＩＰストリームを携帯端末１７０に送出するようにしてもよい。
【０１２３】
図８において、モバイルネットワーク１４０は、ＷｉＭａｘ網、ＬＴＥ網等も、同じ構成にて使用することができる。また、モバイルネットワーク１４０は、モバイル回線交換網を使用することもできるが、この場合は、ゲートウェイ装置１１０において、制御信号変換部１１１とパケット送信部１１６の構成を変更する必要がある。制御信号変換部１１１は、モバイル回線交換の呼制御信号（例えばＩＳＵＰ等）を受信できるように変更する。パケット送信部１１６は不要で、Ｈ．２２３送信部と置き換える。Ｈ．２２３送信部は、３Ｇ３２４Ｍ等のモバイル回線交換ＴＶ電話プロトコルをサポートする構成を用いることができる。
【０１２４】
図７及び図８において、ＤＶＤ／ＨＤＤレコーダ１５８で映像コンテンツの圧縮符号化に使用するコーデックとしては、ＭＰＥＧ−２以外の周知のコーデック、例えば、Ｈ．２６４やＭＰＥＧ−４やＷＭＶ等を使用することもできる。この場合、トランスコーダ部１１３において、ＨＧＷ１５２’（２１０’）から受信したストリームをデコードするときに、ＭＰＥＧ−２以外の、Ｈ．２６４、ＭＰＥＧ−４やＷＭＶ等を使用することができる。
【０１２５】
図７及び図８において、ＨＧＷ１５２’（２１０’）を介してＤＶＤ／ＨＤＤレコーダ１５８から読み出したストリームに暗号が施されている場合は、ゲートウェイ装置１１０は、パケット受信部１１２において、ストリームを取り出した際に、暗号を復号化した上で、トランスコーダ部１１３に出力するような構成をとることができる。この場合、ゲートウェイ装置１１０及び制御信号変換部１１１は、ＨＧＷ１５２’（２１０’）またはサービス事業者のサーバから、暗号復号に関する情報を入手し、本情報を変換指示部１１７に通知し、パケット受信部１１２に通知する構成をとることもできる。
【０１２６】
本発明によれば、例えば宅内にある映像を含むコンテンツに対し、ブロードバンドネットワーク、ＮＧＮ、インターネット、モバイルネットワーク等を介して、本人が視聴したり、あるいは、本人以外の特定のユーザに宅内のコンテンツを共有させる場合においても、ホームゲートウェイ等に対し設定を行うことを不要とするという作用効果を奏する。
【０１２７】
さらに、携帯電話、携帯端末、ゲーム機、等、映像やオーディオ等のコンテンツを復号できる能力は端末により異なっていても、端末を改造することなく、種々の端末で、宅内の映像コンテンツを復号、表示可能とするという作用効果を奏する。
【０１２８】
なお、上記の特許文献の各開示を、本書に引用をもって繰り込むものとする。本発明の全開示（請求の範囲を含む）の枠内において、さらにその基本的技術思想に基づいて、実施の形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【０１２９】
本発明の実施形態によれば、特にそれらに制限されるものではないが、以下のように付記される。
【０１３０】
（付記１）
宅内に配置される宅内ゲートウェイ装置であって、
端末からネットワークを介して所定の要求を受けた場合に、
前記端末の種別を特定し、
前記ゲートウェイに直接接続される機器、及び、前記ゲートウェイと家庭内ネットワークを介して接続される機器のうちの少なくとも一つから、映像とオーディオの少なくとも一方を含むストリーム又はファイルを読み出し、前記端末の種別に対応した変換情報を作成し、前記読み出したストリーム又はファイルに対して前記変換情報に従い変換を施した上で、前記端末に送出する変換部を備えた、ことを特徴とする宅内ゲートウェイ装置。
【０１３１】
（付記２）
宅内に配置される宅内ゲートウェイ装置であって、
端末からネットワーク及び宅内に設置されるフェムトセルアクセスポイントを介して所定の要求を受けた場合に、
前記端末の種別を特定し、
前記宅内ゲートウェイに直接接続される機器、及び、前記家庭内ネットワークを介して接続される機器のうちの少なくとも一つから、映像とオーディオの少なくとも一方を含むストリーム又はファイルを読み出し、前記端末の種別に対応した変換情報を作成し、前記読み出したストリーム又はファイルに対して前記変換情報に従い変換を施した上で、前記端末に送出する変換部を備えた、ことを特徴とする宅内ゲートウェイ装置。
【０１３２】
（付記３）
前記変換部は、端末の機種毎に、
許容できるコーデック、
画面解像度、
フレームレート、
前記端末で受信可能なファイル形式とファイルサイズ、
前記端末の受信プロトコル、
の少なくとも一つを含む、端末の能力情報を保持し、
前記端末の機種に対応した能力情報を読み出し、前記能力情報に対応した変換情報を作成する、ことを特徴とする付記１又は２記載の宅内ゲートウェイ装置。
【０１３３】
（付記４）
前記変換部は、前記変換として、
コーデック、
ビットレート、
画面解像度、
フレームレート、
ファイル形式とファイルサイズ、
プロトコル
のうちの少なくとも一つに対する変換を実時間で行う、ことを特徴とする付記１乃至３のいずれか一に記載の宅内ゲートウェイ装置。
【０１３４】
（付記５）
前記端末は、携帯電話、ＰＨＳ（Ｐｅｒｓｏｎａｌ  Ｈａｎｄｙｐｈｏｎｅ  Ｓｙｓｔｅｍ）、無線ＬＡＮ（Ｌｏｃａｌ  Ａｒｅａ  Ｎｅｔｗｏｒｋ）端末、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）端末、パーソナルコンピュータ、ゲーム機、デジタルフォトフレームの少なくとも一つを含む、ことを特徴とする付記１乃至４のいずれか一に記載の宅内ゲートウェイ装置。
【０１３５】
（付記６）
端末からリクエストコマンドを受信すると、前記リクエストコマンドから端末種別情報を読み出し、前記端末から読み出し対象のコンテンツの情報を受信し、前記機器に対し、コンテンツの読み出しを指示する制御信号変換部と、
前記機器から取得されたコンテンツ情報を含むパケットを受信するパケット受信部と、
端末の種別に対応して、許容できるコーデック、画面解像度、フレームレート、受信可能なファイル形式とファイルサイズ、受信プロトコルの少なくとも一つを含む能力情報を保持する能力テーブルと、
前記制御信号変換部から前記端末種別情報を受け取り、前記能力テーブルから前記端末種別情報に対応した能力情報を取得し、前記コンテンツ情報を前記パケット受信部から受け取り、前記能力情報に対応した前記コンテンツ情報の変換情報を作成してトランスコーダ部に出力し、前記能力テーブルから読み出した能力情報を、ファイル変換部、プロトコル変換部、パケット送信部に出力する変換指示部と、
前記パケット受信部から抽出されたストリームを受信し、前記変換指示部からの変換情報に対応したトランスコード処理を行うトランスコーダ部と、
前記変換指示部から前記端末の能力情報を入力し、前記トランスコーダ部から変換後のストリームを入力し、前記端末の能力情報に従い、ストリームを前記端末に送出するためにファイル形式に変換するファイル変換部と、
前記変換指示部から前記端末の能力情報を入力し、前記ファイル変換部からファイルを入力し、前記端末の能力情報に対応したプロトコルを決定し、前記プロトコルによりファイルを送出するプロトコル変換部と、
前記変換指示部から前記端末の能力情報を入力し、前記プロトコル変換部からプロトコル及びファイル形式を入力し、前記端末宛にパケットを送出するパケット送信部と、
を備えた付記１記載の宅内ゲートウェイ装置。
【０１３６】
（付記７）
宅内に配置される宅内ゲートウェイが
端末からネットワークを介して所定の要求を受けた場合に、
前記端末の種別を特定し、
前記ゲートウェイに直接接続される機器、及び、前記ゲートウェイと家庭内ネットワークを介して接続される機器のうちの少なくとも一つから、映像とオーディオの少なくとも一方を含むストリーム又はファイルを読み出し、
前記端末の種別に対応した変換情報を作成し、
前記読み出したストリーム又はファイルに対して前記変換情報に従い変換を施した上で、前記端末に送出する、
ことを特徴とする宅内ゲートウェイ方法。
【０１３７】
（付記８）
宅内に配置される宅内ゲートウェイが、
端末からネットワーク及び宅内に設置されるフェムトセルアクセスポイントを介して所定の要求を受けた場合に、
前記端末の種別を特定し、
前記宅内ゲートウェイに直接接続される機器、及び、前記家庭内ネットワークを介して接続される機器のうちの少なくとも一つから、映像とオーディオの少なくとも一方を含むストリーム又はファイルを読み出し、
前記端末の種別に対応した変換情報を作成し、
前記読み出したストリーム又はファイルに対して前記変換情報に従い変換を施した上で、前記端末に送出する、ことを特徴とする宅内ゲートウェイ方法。
【０１３８】
（付記９）
前記宅内ゲートウェイが、端末の機種毎に、
許容できるコーデック、
画面解像度、
フレームレート、
前記端末で受信可能なファイル形式とファイルサイズ、
前記端末の受信プロトコル、
の少なくとも一つを含む、端末の能力情報を保持し、
前記端末の機種に対応して前記端末の能力情報を読み出し、前記能力情報に対応した変換情報を作成する、ことを特徴とする付記７又は８記載の宅内ゲートウェイ方法。
【０１３９】
（付記１０）
前記変換部は、前記変換として、コーデック、ビットレート、画面解像度、フレームレート、ファイル形式、プロトコルのうちの少なくとも一つに対する変換を実時間で行う、ことを特徴とする付記７乃至９のいずれか一に記載の宅内ゲートウェイ方法。
【０１４０】
（付記１１）
前記端末は、携帯電話、ＰＨＳ（Ｐｅｒｓｏｎａｌ  Ｈａｎｄｙｐｈｏｎｅ  Ｓｙｓｔｅｍ）、無線ＬＡＮ（Ｌｏｃａｌ  Ａｒｅａ  Ｎｅｔｗｏｒｋ）端末、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）端末、パーソナルコンピュータ、ゲーム機、デジタルフォトフレームの少なくとも一つを含む、ことを特徴とする付記７乃至１０のいずれか一に記載の宅内ゲートウェイ方法。
【０１４１】
（付記１２）
宅内に配置される宅内ゲートウェイを構成するコンピュータに、
端末からネットワークを介して所定の要求を受けた場合に、
前記端末の種別を特定し、
前記ゲートウェイに直接接続される機器、及び、前記ゲートウェイと家庭内ネットワークを介して接続される機器のうちの少なくとも一つから映像とオーディオの少なくとも一方を含むストリーム又はファイルを読み出し、
前記端末の種別に対応した変換情報を作成し、
前記読み出したストリーム又はファイルに対し、前記変換情報に従い変換処理を実行した上で、前記端末に送出する処理を実行させるプログラム。
【０１４２】
（付記１３）
宅内に配置される宅内ゲートウェイを構成するコンピュータに、
端末からネットワーク及び宅内に設置されるフェムトセルアクセスポイントを介して所定の要求を受けた場合に、
前記端末の種別を特定し、
前記宅内ゲートウェイに直接接続される機器、及び、前記家庭内ネットワークを介して接続される機器のうちの少なくとも一つから、映像とオーディオの少なくとも一方を含むストリーム又はファイルを読み出し、
前記端末の種別に対応した変換情報を作成し、
前記読み出したストリーム又はファイルに対し、前記変換情報に従い変換処理を実行した上で、前記端末に送出する処理を実行させるプログラム。
【０１４３】
（付記１４）
端末の機種毎に、
許容できるコーデック、
画面解像度、
フレームレート、
前記端末で受信可能なファイル形式とファイルサイズ、
前記端末の受信プロトコル、
の少なくとも一つを含む、端末の能力情報を保持し、
前記端末の機種に対応して前記端末の能力情報を読み出し、前記能力情報に対応した変換情報を作成する処理を前記コンピュータに実行させる付記１２又は１３記載のプログラム。
【０１４４】
（付記１５）
前記変換処理として、コーデック、ビットレート、画面解像度、フレームレート、ファイル形式、プロトコルのうちの少なくとも一つに対する変換を実時間で行う、ことを特徴とする付記１２又は１３記載のプログラム。
【０１４５】
（付記１６）
前記端末は、携帯電話、ＰＨＳ（Ｐｅｒｓｏｎａｌ  Ｈａｎｄｙｐｈｏｎｅ  Ｓｙｓｔｅｍ）、無線ＬＡＮ（Ｌｏｃａｌ  Ａｒｅａ  Ｎｅｔｗｏｒｋ）端末、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）端末、パーソナルコンピュータ、ゲーム機、デジタルフォトフレームの少なくとも一つを含む、ことを特徴とする付記１２乃至１４のいずれか一に記載のプログラム。
【０１４６】
（付記１７）
ネットワーク上に配置されるゲートウェイ装置であって、
携帯端末から、前記ネットワークと異なるネットワークを介して又は同一のネットワークを介して、所定の要求を受けた場合に、前記携帯端末の種別を特定し、宅内に設置されるホームゲートウェイに対して要求を送出し、
前記ホームゲートウェイに直接接続される機器と、前記ホームゲートウェイと家庭内ネットワークを介して接続される機器とのうちの少なくとも一つから、映像とオーディオの少なくとも一方を含むストリーム又はファイルを読み出し、
前記携帯端末の種別と前記ネットワークの特性とのうちの少なくとも一つに対応した変換情報を作成し、前記ストリーム又は前記ファイルに対して、前記変換情報に従い変換を施した上で、前記携帯端末に送出する変換部を含む、ことを特徴とするゲートウェイ装置。
【０１４７】
（付記１８）
ネットワーク上に配置されるゲートウェイ装置であって、
携帯端末から所定の要求を受けた場合に、前記携帯端末の種別を特定し、宅内に設置されるフェムトセルアクセスポイントを介して、無線対応ホームゲートウェイに対して要求を送出し、
前記ホームゲートウェイ又は前記セットトップボックスに直接接続される機器と、前記ホームゲートウェイ又は前記セットトップボックスと家庭内ネットワークを介して接続される機器とのうちの少なくとも一つから、映像とオーディオの少なくとも一方を含むストリーム又はファイルを、前記無線対応ホームゲートウェイ及び前記フェムトセルアクセスポイントを経由して読み出し、
前記携帯端末の種別と前記ネットワークの特性とのうちの少なくとも一つに対応した変換情報を作成し、
前記ストリーム又は前記ファイルに対し前記変換情報に従い変換を施した上で、前記携帯端末に送出する変換部を含む、ことを特徴とするゲートウェイ装置。
【０１４８】
（付記１９）
前記携帯端末からのリクエストコマンドを受け取ると、前記リクエストコマンド中の端末種別情報を読み出して、前記携帯端末の端末種別を特定し、前記携帯端末からのリクエストコマンドを、前記ホームゲートウェイ用のメッセージに変換し、前記ホームゲートウェイに送信するとともに、コンテンツ選択結果を、前記ホームゲートウェイに送信する制御信号変換部と、
前記機器から取得され、前記ホームゲートウェイを介して送信されたコンテンツ情報を含むパケットを受信するパケット受信部と、
前記端末種別情報を前記制御信号変換部から受け取り、前記ホームゲートウェイから送信されたコンテンツ情報を前記パケット受信部から受け取り、トランスコーダ部における変換を指示する変換指示部と、
前記パケット受信部から抽出されたストリームを受信し、前記変換指示部から変換指示に対応したトランスコード処理を行うトランスコーダ部と、
前記変換指示部から前記携帯端末の端末種別情報を入力し、前記トランスコーダ部３から変換後のストリームを入力し、該端末種別情報に従い、ストリームを前記携帯端末に送出するためにファイル形式に変換するファイル変換部と、
前記制御信号変換部で取得した前記携帯端末の端末種別情報を前記変換指示部から入力し、前記ファイル変換部からファイルを入力し、前記携帯端末が受け取ることができるプロトコルを決定し、前記プロトコルによりファイルを送出するプロトコル変換部と、
前記変換指示部から前記端末種別情報を入力しさらに前記携帯端末のアドレスを入力し、前記プロトコル変換部からプロトコル及びファイル形式を入力し、前記携帯端末宛にパケットを送出するパケット送信部と、
を備えた付記１７記載のゲートウェイ装置。
【０１４９】
（付記２０）
ネットワーク上に配置されるゲートウェイ装置が、
携帯端末から、前記ネットワークと異なるネットワークを介して又は同一のネットワークを介して、所定の要求を受けた場合に、前記携帯端末の種別を特定し、宅内に設置されるホームゲートウェイに対して要求を送出し、
前記ホームゲートウェイに直接接続される機器と、前記ホームゲートウェイと家庭内ネットワークを介して接続される機器とのうちの少なくとも一つから、映像とオーディオの少なくとも一方を含むストリーム又はファイルを読み出し、
前記携帯端末の種別と前記ネットワークの特性とのうちの少なくとも一つに対応した変換情報を作成し、前記ストリーム又は前記ファイルに対して、前記変換情報に従い変換を施した上で、前記携帯端末に送出する、ことを特徴とするゲートウェイ方法。
【０１５０】
（付記２１）
ネットワーク上に配置されるゲートウェイ装置が、
携帯端末から所定の要求を受けた場合に、前記携帯端末の種別を特定し、宅内に設置されるフェムトセルアクセスポイントを介して、無線対応ホームゲートウェイに対して要求を送出し、
前記ホームゲートウェイ又は前記セットトップボックスに直接接続される機器と、前記ホームゲートウェイ又は前記セットトップボックスと家庭内ネットワークを介して接続される機器とのうちの少なくとも一つから、映像とオーディオの少なくとも一方を含むストリーム又はファイルを、前記無線対応ホームゲートウェイ及び前記フェムトセルアクセスポイントを経由して読み出し、
前記携帯端末の種別と前記ネットワークの特性とのうちの少なくとも一つに対応した変換情報を作成し、
前記ストリーム又は前記ファイルに対し前記変換情報に従い変換を施した上で、前記携帯端末に送出する、ことを特徴とするゲートウェイ方法。
【０１５１】
（付記２２）
ネットワーク上に配置されるゲートウェイ装置を構成するコンピュータに、
携帯端末から、前記ネットワークと異なるネットワークを介して又は同一のネットワークを介して、所定の要求を受けた場合に、前記携帯端末の種別を特定し、宅内に設置されるホームゲートウェイに対して要求を送出し、
前記ホームゲートウェイに直接接続される機器と、前記ホームゲートウェイと家庭内ネットワークを介して接続される機器とのうちの少なくとも一つから、映像とオーディオの少なくとも一方を含むストリーム又はファイルを読み出し、
前記携帯端末の種別と前記ネットワークの特性とのうちの少なくとも一つに対応した変換情報を作成し、前記ストリーム又は前記ファイルに対して、前記変換情報に従い変換を施した上で、前記携帯端末に送出する処理を実行させるプログラム。
【０１５２】
（付記２３）
ネットワーク上に配置されるゲートウェイ装置を構成するコンピュータに、
携帯端末から所定の要求を受けた場合に、前記携帯端末の種別を特定し、宅内に設置されるフェムトセルアクセスポイントを介して、無線対応ホームゲートウェイに対して要求を送出し、
前記ホームゲートウェイ又は前記セットトップボックスに直接接続される機器と、前記ホームゲートウェイ又は前記セットトップボックスと家庭内ネットワークを介して接続される機器とのうちの少なくとも一つから、映像とオーディオの少なくとも一方を含むストリーム又はファイルを前記無線対応ホームゲートウェイ及び前記フェムトセルアクセスポイントを経由して読み出し、
前記携帯端末の種別と前記ネットワークの特性とのうちの少なくとも一つに対応した変換情報を作成し、
前記ストリーム又は前記ファイルに対し前記変換情報に従い変換を施した上で、前記携帯端末に送出する処理を実行させるプログラム。
【符号の説明】
【０１５３】
１１１  制御信号送受信部
１１２  パケット受信部
１１３  トランスコーダ部
１１４  ファイル変換部
１１５  プロトコル変換部
１１６  パケット送信部
１１７  変換指示部
１１８  能力テーブル
１３０  ネットワーク
１４０  モバイルネットワーク
１４１  無線基地局
１５０  宅内
１５２、１５２’  宅内ゲートウェイ（ＨＧＷ、ホームゲートウェイ）
１５５  ＳＴＢ（セットトップボックス）
１５７  ＴＶ（テレビ）
１５８  ＤＶＤ／ＨＤＤレコーダ
１６０  インターネット網
１７０  携帯端末
１８０  パソコン
１９０  ゲーム機
２００  フェムトセルアクセスポイント
２１０  無線対応宅内ゲートウェイ
【図１】
0005397470.tif 000002
【図２】
0005397470.tif 000003
【図３】
0005397470.tif 000004
【図４】
0005397470.tif 000005
【図５】
0005397470.tif 000006
【図６】
0005397470.tif 000007
【図７】
0005397470.tif 000008
【図８】
0005397470.tif 000009